(57)【要約】【課題】ダイナミック点灯を行わせるＬＥＤ表示装置において、プルダウン抵抗によるにじみを抑制する。【解決手段】本願発明は、縦横に配列された複数のＬＥＤ２，３と、同じ行又は列に配列された当該各ＬＥＤ２，３のカソード側が接続されたカソード共通線５，６と、同じ行又は列に配列された当該各ＬＥＤのアノード側が接続されたアノード共通線４とを備え、各アノード共通線４がトランジスタＴｒを介して電源の陽極側に接続され、上記トランジスタＴｒはバイポーラトランジスタであり、当該トランジスタＴｒのコレクタ側の夫々にツェナーダイオード８のカソード側を接続し、当該ツェナーダイオードのアノード側を、プルダウン抵抗７を介して接地した、ＬＥＤのダイナミック点灯を行うＬＥＤ表示装置を提供する。【選択図】図１
2011242566.tif 000002
【特許請求の範囲】
【請求項１】
縦横にマトリック状に配列された複数のＬＥＤと、同じ行又は列に配列された当該各ＬＥＤのカソード側が接続されたカソード共通線と、同じ行又は列に配列された当該各ＬＥＤのアノード側が接続されたアノード共通線とを備え、各アノード共通線がトランジスタを介して電源の陽極側に接続された、ＬＥＤのダイナミック点灯を行うＬＥＤ表示装置において、
アノード共通線の夫々に対応する、プルダウン抵抗とツェナーダイオードとを備え、
上記トランジスタはバイポーラトランジスタであり、当該トランジスタのコレクタ側の夫々にツェナーダイオードのカソード側を接続し、当該ツェナーダイオードのアノード側を、プルダウン抵抗を介して接地したことを特徴とするＬＥＤ表示装置。
【請求項２】
縦横にマトリック状に配列された複数のＬＥＤと、同じ行又は列に配列された当該各ＬＥＤのカソード側が接続されたソード共通線と、同じ行又は列に配列された当該各ＬＥＤのアノード側が接続されたアノード共通線とを備え、各アノード共通線がトランジスタを介して電源の陽極側に接続された、ＬＥＤのダイナミック点灯を行うＬＥＤ表示装置において、
アノード共通線の夫々に対応する、プルダウン抵抗とツェナーダイオードとを備え、
上記トランジスタはモノポーラトランジスタであり、当該トランジスタ夫々のドレイン端子にツェナーダイオードのカソード側を接続し、当該ツェナーダイオードのアノード側を、プルダウン抵抗を介して接地したことを特徴とするＬＥＤ表示装置。
【発明の詳細な説明】
【技術分野】
【０００１】
本願発明は、ＬＥＤ表示装置に関するものである。
【背景技術】
【０００２】
ＬＥＤ表示装置では、ダイナミック点灯によってＬＥＤに文字や映像を表示させることが多い。この理由は、点灯回路の部品点数を少なくすることが可能であり、安価なＬＥＤモジュールを提供することができるためである。
【０００３】
しかし、安価に製造できる一方で、点灯すべきでないＬＥＤまで点灯してしまう現象（以下「にじみ」と呼ぶ。）が発生してしまうことがあり、商品価値を下げる原因となっていた。
【先行技術文献】
【特許文献】
【０００４】
【特許文献１】特開２００１−１２５５４１号公報
【発明の概要】
【発明が解決しようとする課題】
【０００５】
にじみは、全てのＬＥＤ表示装置に発生するわけではなく、高輝度ＬＥＤで発生することが多い。
しかし、にじみは、高輝度になることにより、目立つようになったという単純な理由ではなく、接合容量等の特性の影響も強く受けていると考えられる。
例えば、意図しない場所のＬＥＤが点灯するのは、ＬＥＤが高輝度になるにつれ、ＬＥＤの電流に対する応答性の向上、基板パターンの高密度化、大容量トランジスタの使用に伴う部品数の削減に起因し、ＬＥＤ、トランジスタ、配線パターンがもつ容量分の影響、つまりＬＥＤのコンデンサ容量（寄生容量）、走査トランジスタのコレクタ容量、配線パターンのコンデンサ容量の合成容量によるものと考えて、特許文献１に示されたＬＥＤユニット駆動回路が提案されている。
【０００６】
この特許文献１では、上記のにじみ現象の低減を目的として、ＣＯＭＭＯＮ‐Ｔｒ（トランジスタ） のコレクタにダイオードを入れてＬＥＤの接合容量を小さくするという工夫が示されている。
具体的には、特許文献１のＬＥＤユニット駆動回路では、２次元画素配列を形成すべく複数のＬＥＤがマトリックス状に配列されてなるＬＥＤユニットの駆動回路であって、ＬＥＤ配列の列または行ごとに配置された走査ラインに接続される走査トランジスタと、ＬＥＤ配列の行または列ごとに配置されたデータラインに接続される駆動素子とを備え、それら走査トランジスタ及び駆動素子によってＬＥＤをダイナミック点灯制御する駆動回路において、ＬＥＤ配列の列または行ごとに配置・接続されたＬＥＤのアノードラインにそれぞれダイオードが直列接続されており、或いは、ＬＥＤ配列の行または列ごとに配置・接続されたＬＥＤのカソードラインにそれぞれダイオードが直列接続されている。
このように、特許文献１の発明では、ＬＥＤと直列にダイオードを入れ、接合容量を小さくするという工夫がなされているのである。
【０００７】
一方、本願発明者は、上記特許文献１と異なるアプローチにて、上記にじみの問題の解決を試みた。
このアプローチの中で、本願の発明者において、ダイナミックドライブ即ちＬＥＤのダイナミック駆動による点灯を行った場合に高輝度ＬＥＤによって発生する上記にじみ(微点灯)の現象は、ＬＥＤの接合容量によって発生する現象であり、ＣＯＭＭＯＮ側トランジスタのコレクタ端子（バイポーラトランジスタ）やドレイン端子（モノポーラトランジスタ）をプルダウンすることにより解決できることが経験上分かっていた。
しかし、プルダウン抵抗を付けることによって、にじみは低減されるものの、逆方向の漏れが大きいＬＥＤがパネル中にあった場合、にじみとは別に「ライン点灯」という現象となって現われることがあった。
【０００８】
即ち、単純にプルダウンした場合、にじみは軽減するものの、ドットマトリクス内に逆方向漏れ電流の大きいＬＥＤがあったとき、ＬＥＤを逆流した電流がプルダウン抵抗を通して流れ、上記のライン微点灯という副作用が発生するのである。
このライン微点灯について、図６を用いて、具体的に説明する。
図６へ示す通り、このＬＥＤ表示装置は、縦横にマトリック状に配列された複数のＬＥＤ２，３と、同じ行又は列に配列された当該各ＬＥＤ２…２，３…３のカソード側が接続されたカソード共通線５…５，６…６と、同じ行又は列に配列された当該各ＬＥＤのアノード側が接続されたアノード共通線４…４とを備え、各アノード共通線４がトランジスタＴｒ…Ｔｒを介して電源の陽極側に接続されて、ＬＥＤのダイナミック点灯を行うものである。上記トランジスタＴｒの夫々は、バイポーラトランジスタであり、このトランジスタＴｒのコレクタ側の夫々にプルダウン抵抗７が接続される。
尚、図６において当該ＬＥＤユニットをダイナミック点灯させるドライブ回路は、省略する。
【０００９】
図６において、ＣＯＭ６のライン（アノード共通線４）に接続されているＬＥＤ２ａが逆方向漏れ電流が大きいとする。今、ＣＯＭ８（太一点鎖線のアノード共通線４ａ）が開いているとすると、ＬＥＤ２ｂを通じ、プルダウン抵抗７ａを介して(太実線で示した経路に)電流が流れてしまう。この現象は、どのＣＯＭＭＯＮ（アノード共通線４）が開いている時でも発生してしまうため、ライン微点灯という現象となるのである。
【００１０】
ライン点灯が起こる割合は、約１０％程度となっており、歩留まりで処理できる割合を超えていた。
そこで、本願発明は、ダイナミック点灯において、このようなライン点灯を抑制して、歩留まりの向上を図るものである。
【課題を解決するための手段】
【００１１】
本願の請求項１に係る発明では、縦横にマトリック状に配列された複数のＬＥＤと、同じ行又は列に配列された当該各ＬＥＤのカソード側が接続されたカソード共通線と、同じ行又は列に配列された当該各ＬＥＤのアノード側が接続されたアノード共通線とを備え、各アノード共通線がトランジスタを介して電源の陽極側に接続された、ＬＥＤのダイナミック点灯を行うＬＥＤ表示装置について、次の構成を採るものを提供する。
即ち、この装置は、アノード共通線の夫々に対応する、プルダウン抵抗とツェナーダイオードとを備える。上記トランジスタはバイポーラトランジスタであり、当該トランジスタのコレクタ側の夫々にツェナーダイオードのカソード側を接続し、当該ツェナーダイオードのアノード側を、プルダウン抵抗を介して接地したものである。
【００１２】
本願の請求項２に係る発明では、縦横にマトリック状に配列された複数のＬＥＤと、同じ行又は列に配列された当該各ＬＥＤのカソード側が接続されたカソード共通線と、同じ行又は列に配列された当該各ＬＥＤのアノード側が接続されたアノード共通線とを備え、各アノード共通線がトランジスタを介して電源の陽極側に接続された、ＬＥＤのダイナミック点灯を行うＬＥＤ表示装置について、次の構成を採るものを提供する。
即ち、この装置は、アノード共通線の夫々に対応する、プルダウン抵抗とツェナーダイオードとを備える。上記トランジスタはモノポーラトランジスタであり、当該トランジスタ夫々のドレイン端子にツェナーダイオードのカソード側を接続し、当該ツェナーダイオードのアノード側を、プルダウン抵抗を介して接地したものである。
【発明の効果】
【００１３】
本願発明は、接合容量を小さくすることを目的とする先行文献１とは、異なる技術的思想により、ＬＥＤのダイナミック点灯における「にじみ」を抑制すると共に、ライン点灯を抑制した。
具体的には、にじみ対策として、プルダウン抵抗をトランジスタのコレクタ側に設けると共にツェナーダイオードを併設するという画期的なアイデアを提供した。
一般に逆方向の漏れが大きいＬＥＤが入っていると、当該ＬＥＤ一個分通過するために電圧が下がるのであるが、本願発明では、このように電圧が下がった場合には、プルダウンが効かないように、上記のツェナーダイオードにて押さえ込むことができる。
【図面の簡単な説明】
【００１４】
【図１】本願発明に係るＬＥＤユニットの回路を示す説明図。
【図２】本願発明に係る上記ＬＥＤユニットを駆動してダイナミック点灯を行わせるドライブユニットの説明図。
【図３】本願発明の他の実施の形態に係る説明図。
【図４】本願発明の他の実施の形態に係るＬＥＤユニットの回路を示す説明図。
【図５】図４のＬＥＤユニットを駆動してダイナミック点灯を行わせるドライブユニットの説明図。
【図６】にじみ対策としてプルダウン抵抗のみを設けたＬＥＤユニットの回路を示す説明図。
【発明を実施するための形態】
【００１５】
以下、図面に基づき本願発明の実施の形態を説明する。
このＬＥＤ表示装置は、図１へ示すＬＥＤユニット１と、図２へ示すドライブユニット９と、走査回路１０と、点灯制御回路１１とを備える。
この実施の形態は、定電圧回路を採用する。
【００１６】
ＬＥＤユニット１は、縦横にマトリック状に配列された複数のＬＥＤ２…２，３…３と、同じ行又は列に配列された当該各ＬＥＤのカソード側が接続されたカソード共通線５…５，６…６と、同じ行又は列に配列された当該各ＬＥＤのアノード側が接続されたアノード共通線４…４とを備える。
各ＬＥＤ２，３は高輝度ＬＥＤであり、この実施の形態では、赤色のＬＥＤ２…２と、緑色のＬＥＤ３…３の２色のＬＥＤを、ＬＥＤユニットは備える。
一方の上記カソード共通線５には、赤色ＬＥＤ２…２夫々のカソード側が接続され、他の一方のカソード共通線６には、緑色ＬＥＤ３…３夫々のカソード側が接続されている。また、上記アノード共通線４には、赤緑両ＬＥＤ２…２，３…３夫々のアノード側が接続されている。
【００１７】
この実施の形態では、上記のＬＥＤ２…２，３…３の配列に対応して、複数のカソード共通線５，６が縦に並べられて列をなし、複数のアノード共通線４…４が横に並べられて行をなし、カソード共通線５，６とアノード共通線４とが碁盤目状に交差している。但し、カソード共通線５，６とアノード共通線４とは、上記と縦横逆であっても実施できる。
この実施の形態では、ＬＥＤユニット１は、走査ラインとして１６本のアノード共通線４…４と、データラインとして当該アノード共通線４…４と交差して配置された、夫々１６本の赤色ＬＥＤ２対応のカソード共通線５…５と緑色ＬＥＤ３対応のカソード共通線６…６とを備える。ここで交差するとは、物理的な配列を示すものであり、電気的には交差する共通線同士は絶縁されている。
【００１８】
アノード共通線４…４は、上記の通り走査ラインＣＯＭ０〜ＣＯＭ１５の１６本の走査ラインを構成し、赤色ＬＥＤと緑色ＬＥＤと対応するカソード共通線５…５，６…６は夫々１６本のデータラインＲ０〜Ｒ１５、Ｇ０〜Ｇ１５を構成する。
【００１９】
走査回路１０は、図１及び図２へ示す通り、走査ラインＣＯＭ０〜ＣＯＭ１５に対応する個数のトランジスタＴｒと、同様に走査ラインＣＯＭ０〜ＣＯＭ１５に対応するプルダウン抵抗７…７と、ツェナーダイオード８…８とを備える(ＬＥＤユニット１とドライブユニット９との接続関係を解かり易くするため、図２においても、図１で示した走査回路１０を、重複して示している)。
この実施の形態では、走査ライン即ちアノード共通線４…４は、１６本であるので、走査回路１０は、１６個のトランジスタＴｒ…Ｔｒと、１６個のプルダウン抵抗７…７と、１６個のツェナーダイオード８…８とを備える。
【００２０】
以下、上記走査回路１０の各トランジスタＴｒ…Ｔｒを第１トランジスタＴｒ…Ｔｒと呼ぶ。
この実施の形態において、各第１トランジスタＴｒは、ｐｎｐ型のバイポーラトランジスタであり、走査ラインＣＯＭ０〜ＣＯＭ１５の夫々は、第１トランジスタＴｒのコレクタに接続されている。
第１トランジスタＴｒのコレクタ側には、上記のツェナーダイオード８のカソード側が接続され、当該ツェナーダイオード８のアノード側は、上記プルダウン抵抗７を介して接地されている。
各第１トランジスタＴｒのエミッタ側は、夫々電源共通線Ｖ１を介して電源ＶＬＥＤに接続される。
第１トランジスタＴｒのベースは、ドライブユニット９の走査側（図２の矩形に表されたドライブユニット９の右辺に設けられた１６個の各端子）に接続される。
【００２１】
点灯制御回路１１は、図２へ示す通り、赤色点灯制御回路１１ａと、緑色点灯制御回路１１ｂとを備える。
【００２２】
赤色点灯制御回路１１ａは、赤色データラインＲ０〜Ｒ１５の数と対応する個数即ち１６個のトランジスタＴｒ１…Ｔｒ１を備える。以下この赤色点灯制御回路１１ａのトランジスタＴｒ１…Ｔｒ１を第２トランジスタＴｒ１…Ｔｒ１と呼ぶ。
各第２トランジスタＴｒ１…Ｔｒ１のコレクタ側は、抵抗ｎ１…ｎ１を介して、夫々ＬＥＤユニット１の赤色データラインＲ０〜Ｒ１５と接続され、各第２トランジスタＴｒ１のエミッタ側は、夫々接地共通線１２を介して接地され、各第２トランジスタＴｒ１のベース側は、ドライブユニット９の赤色データ側（図２の矩形に表されたドライブユニット９の下辺に設けられた１６個の各端子）に接続される。
【００２３】
緑色点灯制御回路１１ｂは、緑色データラインＧ０〜Ｇ１５の数と対応する個数即ち１６個のトランジスタＴｒ２…Ｔｒ２を備える。以下この緑色点灯制御回路１１ｂのトランジスタＴｒ２…Ｔｒ２を第３トランジスタＴｒ２…Ｔｒ２と呼ぶ。
各第３トランジスタＴｒ２のコレクタ側は、抵抗ｎ２…ｎ２を介して、夫々ＬＥＤユニット１の緑色データラインＧ０〜Ｇ１５と接続され、各第３トランジスタＴｒ２のエミッタ側は、夫々接地共通線１３を介して接地され、各第３トランジスタＴｒ２のベース側は、ドライブユニット９の緑色データ側（図２の矩形に表されたドライブユニット９の上辺に設けられた１６個の各端子）に接続される。
【００２４】
前記の第１トランジスタＴｒ…Ｔｒ（ＣＯＭＭＯＮトランジスタ）は、ＬＥＤのアノードに電圧を印加するためのものであり、上記の第２及び第３の各トランジスタ（RxやGxに付いているトランジスタ）は、ＬＥＤの電流をＧＮＤへ流すためのトランジスタである。この第２及び第３の各トランジスタは、ｎｐｎ型のトランジスである。
【００２５】
ドライブユニット９は、ＣＰＵ若しくはＭＰＵと共に、シフトレジスタ、メモリ、Ｈ−Ｓｙｎｃカウンタや、その他のロジック回路を備えた集積回路であり、データ、ドットクロック、Ｈ−Ｓｙｎｃ、Ｖ−Ｓｙｎｃや他の信号処理を行う。ここでは、１６ビット又は３２ビットのデータ処理を行うものを採用するのが好ましい。ドライブユニット９によって、ＬＥＤユニット１における各ＬＥＤの点滅即ちダイナミック点灯が制御される。
上記のドライブユニット９には、例えば、マイクロチップテクノロジー社のＰｅｒｉｐｈｅｒａｌ  Ｉｎｔｅｒｆａｃｅ  Ｃｏｎｔｒｏｌｌｅｒ、いわゆるＰＩＣ（登録商標）や、その互換品を採用することができる。
【００２６】
前述の通り、ＬＥＤの接合容量によって発生するにじみ現象は、走査側のトランジスタ（ＣＯＭＭＯＮ‐Ｔｒ）のコレクタにプルダウンを付けることによって回避できる。しかし、単純にプルダウンした場合、にじみは軽減するものの、ドットマトリクス内に逆方向漏れ電流の大きいＬＥＤ があった場合、ＬＥＤを逆流した電流がプルダウン抵抗を通して流れ、ライン微点灯という副作用が発生し、この現象は、どのＣＯＭＭＯＮ （走査回路１０の第１トランジスタＴｒのコレクタ側）が開いている時でも発生してしまうため、ライン微点灯という現象となる。これを上記の通りツェナーダイオード８を設けることによって、ＣＯＭＭＯＮ（走査回路１０の第１トランジスタＴｒのコレクタ側） が開いた時にはツェナーダイオードのカソードに大きな電圧、例えば４．０Ｖ以上の電圧が印加されるため、ツェナーダイオードが開き、プルダウンされる。一方、ライン微点灯が発生する場合には、ＬＥＤを２個(光っているＬＥＤと逆方向に電流が漏れるＬＥＤ)通って電流が流れてしまう。このため、上記のツェナーダイオード８のカソードに印加される電圧は、十分低く(上記の４Ｖに対して２Ｖ以下と考えられる。)なっているため、ツェナーが開かず電流をブロックできるのである。即ち、電圧が下がった場合には、プルダウンが効かないように、ツェナーで押さえ込むというのが本願発明の画期的なアイデアである。
尚、上記４．０Ｖというのは、電源電圧５Ｖベースで想定したものであるが、電源電圧を５Ｖに限定するものではなく、他の数値を採るものであっても実施可能である。例えば３．３Ｖの電源電圧で使用することもでき、また、５Ｖや３．３Ｖ以外の電源電圧で使用するものとしても実施できる。
【００２７】
この実施の形態の構成を採る実機にて、試験を行った。試験結果は、延べ４０枚のパネル（ＬＥＤユニット１）に対して、にじみ及びライン点灯の有無を検査した結果、どちらも発生しないことが確認できた。
【００２８】
上記の実施の形態において、ＬＥＤユニット１は、赤色のＬＥＤ２…２と、緑色のＬＥＤ３…３の２色のＬＥＤを備えるものとしたが、３色以上のＬＥＤを備えるものとしても、また、単色としても実施できる。
また、上記の実施の形態において、走査ユニット１０が、トランジスタＴｒと共に、プルダウン抵抗７及びツェナーダイオード８を備えるものとしたが、プルダウン抵抗７及びツェナーダイオード８は、ＬＥＤユニット１が備えるものとしても、ドライブユニット９が備えるのとしても、或いは、他のユニットにて構成するものとしても実施可能である。
【００２９】
上記図１及び図２へ示す実施の形態は、定電圧回路を採用するものとした。次に、定電流回路を採用する実施の形態について図３を用いて説明する。
図３へ示す通り、この装置は、図２へ示す第２及び第３トランジスタＴｒ２…Ｔｒ２，Ｔｒ３…Ｔｒ３を用いた赤色及び緑色の点灯制御回路１１ａ，１１ｂに代えて、破線で囲む、定電流ドライバ回路Ｔ１…Ｔ１，Ｔ２…Ｔ２を用いた赤色及び緑色の点灯制御回路１１ａ，１１ｂを備える。各定電流ドライバ回路Ｔ１，Ｔ２は、ＧＮＤ（接地する）インピーダンスを調整して電流を一定とする。定電流ドライバ回路Ｔ１…Ｔ１，Ｔ２…Ｔ２の夫々は、周知の定電流ドライバＩＣを採用することにより設けることができる。具体的には、東芝製のＢｉ−ＣＭＯＳ集積回路、ＴＢ６２７４７ＡＦＧ若しくはＴＢ６２７４７ＡＦＮＧを採用することができる。赤色側の当該定電流ドライバＩＣが備える定電流ドライバ回路Ｔ１（以下第１定電流ドライバ回路Ｔ１と呼ぶ。）の夫々は、抵抗を介して、ＬＥＤユニット１の赤色カソード共通線５の夫々と接続される。また、緑色側の当該定電流ドライバＩＣが備える定電流ドライバ回路Ｔ２（以下第２定電流ドライバ回路Ｔ２と呼ぶ。）の夫々は、抵抗を介して、ＬＥＤユニット１の緑色カソード共通線６の夫々と接続される。
この図３へ示す実施の形態について、特に言及した以外の構成については、上記図１及び図２へ示す実施の形態と同様であり、ＬＥＤユニット１や、ドライブユニット９自体は、図１及び図２へ示すものと同じ構成を採る。
尚、図３へ示す定電流回路を採用する実施の形態において、不要であれば、抵抗ｎ２や抵抗ｎ３を設けずに実施することもできる。
【００３０】
図１〜３へ示す実施の形態において、アノードＣＯＭＭＯＮ型、即ち、ＬＥＤユニット１のアノード共通線をプルダウン抵抗７及びツェナーダイオード８を介して接地するものとした。このほか、カソードＣＯＭＭＯＮ型、即ち、ＬＥＤユニット１のカソード共通線を接地するものとしても実施できる。
図４へ、カソードＣＯＭＭＯＮ型のＬＥＤユニット１を示し、図５へ、図４のＬＥＤユニット１を駆動するのに適したドライブユニット９を示す。
【００３１】
詳しく説明する。
図１では、赤色のＬＥＤ２と緑色のＬＥＤ３の対が複数、碁盤目状に配列され、同じ行に配列された、赤色のＬＥＤ２…２及び緑色のＬＥＤ３…３のアノード側が、同一のアノード共通線４に接続されたものを例示した。図１において複数のアノード共通線４…４は、横に並べられて複数の行を構成するものであった。更に、図１において、同じ列に配列された赤色のＬＥＤ２…２のカソード側が同一のカソード共通線５に接続され、同じ列に配列された緑色のＬＥＤ３…３のカソード側が同一のカソード共通線６に接続され、両カソード共通線５，６は交互に縦に並べられて複数の列を構成するものであった。
図４へ示す通り、この実施の形態では、同じ行に配列された、赤色のＬＥＤ２…２及び緑色のＬＥＤ３…３のカソード側が、同一のカソード共通線５０に接続されている。複数のカソード共通線５０…５０は、横に並べられて複数の行を構成する。更に、同じ列に配列された赤色のＬＥＤ２…２のアノード側が同一のアノード共通線４１に接続され、同じ列に配列された緑色のＬＥＤ３…３のアノード側が同一のアノード共通線４２に接続され、両アノード共通線４１，４２は交互に縦に並べられて複数の列を構成する。尚この図４に示す実施の形態においても、各共通線の縦横は逆であってもよい。
【００３２】
上記のカソード共通線５０…５０は、図４へ示す通り走査ラインＣＯＭ０〜ＣＯＭ１５の１６本の走査ラインを構成し、赤色ＬＥＤと緑色ＬＥＤと対応するアノード共通線４１…４１，４２…４２は夫々１６本のデータラインＲ０〜Ｒ１５、Ｇ０〜Ｇ１５を構成する。
図５へ示す通り、走査回路１０は、ｎｐｎ型のトランジスタＴｒ３…Ｔｒ３（以下第４トランジスタＴｒ３…Ｔｒ３と呼ぶ。）を走査ラインＣＯＭ０〜ＣＯＭ１５（図４）に対応する個数即ち１６個備える。尚、この実施の形態の走査回路１０は、図５にのみ示す（図４には示さない）。
各第４トランジスタＴｒ３…Ｔｒ３のコレクタ側は、夫々図４へ示すＬＥＤユニット１の走査ラインＣＯＭ０〜ＣＯＭ１５即ち上記カソード共通線５０…５０に接続されている。
図５へ示す通り、各第４トランジスタＴｒ３のベース側は、ドライブユニット９の走査側（図５の矩形に表されたドライブユニット９の右辺に設けられた１６個の各端子）に接続されている。各第４トランジスタＴｒ３のエミッタ側は、接地共通線１４を介して接地されている。
【００３３】
図５へ示す通り、点灯制御回路１１の赤色点灯制御回路１１ａは、赤色ＬＥＤのアノード共通線４１…４１が構成するデータラインＲ０〜Ｒ１５の数と対応する数即ち１６個のｐｎｐ型のトランジスタＴｒ…Ｔｒ４（以下第５トランジスタＴｒ４…Ｔｒ４と呼ぶ。）を備える。第５トランジスタＴｒ４…Ｔｒ４のコレクタ側は、夫々抵抗ｎ５を介して、データラインＲ０〜Ｒ１５即ち赤色ＬＥＤのアノード共通線４１…４１と接続されている。そして、第５トランジスタＴｒ４…Ｔｒ４のコレクタと上記抵抗ｎ５との間には、ツェナーダイオード８のカソード側が接続され、当該ツェナーダイオード８のアノード側は、上記プルダウン抵抗７を介して接地されている。
各第５トランジスタＴｒ４…Ｔｒ４のベース側は、ドライブユニット９の赤色データ側（図５の矩形に表されたドライブユニット９の下辺に設けられた１６個の各端子）に接続される。
各第５トランジスタＴｒ４…Ｔｒ４のエミッタ側は、夫々第１電源共通線Ｖ２を介して電源ＶＬＥＤに接続されている。
【００３４】
図５へ示す通り、点灯制御回路１１の緑色点灯制御回路１１ｂは、緑色ＬＥＤのアノード共通線４２…４２が構成するデータラインＧ０〜Ｇ１５の数と対応する数即ち１６個のｐｎｐ型のトランジスタＴｒ４…Ｔｒ４（以下第６トランジスタＴｒ５…Ｔｒ５と呼ぶ。）を備える。第６トランジスタＴｒ５…Ｔｒ５のコレクタ側は、夫々抵抗ｎ６を介して、データラインＧ０〜Ｇ１５即ち緑色ＬＥＤのアノード共通線４２…４２と接続されている。そして、第６トランジスタＴｒ５…Ｔｒ５のコレクタと上記抵抗ｎ６との間には、ツェナーダイオード８のカソード側が接続され、当該ツェナーダイオード８のアノード側は、上記プルダウン抵抗７を介して接地されている。
各第６トランジスタＴｒ５…Ｔｒ５のベース側は、ドライブユニット９の緑色データ側（図５の矩形に表されたドライブユニット９の上辺に設けられた１６個の各端子）に接続される。
各第６トランジスタＴｒ５…Ｔｒ５のエミッタ側は、夫々第２電源共通線Ｖ３を介して電源ＶＬＥＤに接続されている。
【００３５】
図４及び図５に示す実施の形態において、特に言及しなかった事項については、図１〜図３へ示す実施の形態と同様である。
尚、図１〜図６の各実施の形態において、ドットマトリックスＬＥＤ（ＬＥＤユニット１）は、１６ドットとした。この他ドットマトリックスＬＥＤは、２４ドットとして実施することができ、更に、１６ドットや２４ドット以外の他のドット数として実施することができる。
また、上述してきた各実施の形態において、各第１乃至第６の各トランジスタは、バイポーラトランジスタとしたが、モノポーラトランジスタを用いて実施することもできる。モノポーラトランジスタを用いる場合、図示は省略するが、トランジスタ夫々のドレイン端子にツェナーダイオードのカソード側を接続し、当該ツェナーダイオードのアノード側を、プルダウン抵抗を介して接地すればよい。モノポーラトランジスタについて、他の構成は、上記図１及び図２へ示す実施の形態と同様である。
【符号の説明】
【００３６】
１  ＬＥＤユニット
２  ＬＥＤ
３  ＬＥＤ
４  アノード共通線
５  カソード共通線
６  カソード共通線
７  プルダウン抵抗
８  ツェナーダイオード
【図１】
2011242566.tif 000003
【図２】
2011242566.tif 000004
【図３】
2011242566.tif 000005
【図４】
2011242566.tif 000006
【図５】
2011242566.tif 000007
【図６】
2011242566.tif 000008